(57)【要約】【課題】開示の二重化装置は、機能部が正常動作可能であるにも拘わらずシステムが停止するのを回避することができることを目的とする。【解決手段】第１系上位装置と、第２系上位装置と、複数の配下装置を有する二重化装置において、第１系及び第２系上位装置に設けられ、第１系及び第２系上位装置それぞれの現用系と予備系を切替える装置系切替制御手段と、第１系及び第２系上位装置に設けられ、第１系及び第２系上位装置それぞれの機能別に各機能部の現用系と予備系を切替える機能別系切替制御手段を有する。【選択図】  図４
2010044709.tif 000002
【特許請求の範囲】
【請求項１】
第１系上位装置と、第２系上位装置と、複数の配下装置を有する二重化装置において、
前記第１系及び第２系上位装置に設けられ、前記第１系及び第２系上位装置それぞれの現用系と予備系を切替える装置系切替制御手段と、
前記第１系及び第２系上位装置に設けられ、前記第１系及び第２系上位装置それぞれの機能別に各機能部の現用系と予備系を切替える一又は複数の機能別系切替制御手段を
有することを特徴とする二重化装置。
【請求項２】
請求項１記載の二重化装置において、
前記機能別系切替制御手段は、自系の上位装置がアラーム状態、他系の上位装置が現用系遷移不可状態、自系の機能部が現用系であることを要因に、他系の上位装置が現用系に遷移するまで前記自系の機能部の現用系を保持することを特徴とする二重化装置。
【請求項３】
請求項２記載の二重化装置において、
前記機能別系切替制御手段は、前記他系の上位装置が現用系に遷移した後に、前記自系の機能部を現用系から予備系に切替える状態遷移制御を行うことを特徴とする二重化装置。
【請求項４】
請求項３記載の二重化装置において、
前記機能別系切替制御手段の一つは、前記第１系及び第２系上位装置それぞれのクロック機能部の現用系と予備系を切替えるクロック系切替制御手段であることを特徴とする二重化装置。
【請求項５】
請求項３又は４記載の二重化装置において、
前記機能別系切替制御手段の一つは、前記第１系及び第２系上位装置それぞれのバス制御機能部の現用系と予備系を切替えるバス系切替制御手段であることを特徴とする二重化装置。
【発明の詳細な説明】
【技術分野】
【０００１】
本発明は、第１系上位装置と、第２系上位装置と、複数の配下装置を有する二重化装置に関する。
【背景技術】
【０００２】
例えば無線基地局のようなインフラ通信システムでは、その信頼性、安全性を高めるため、通信装置を二重化することが行われている。
【０００３】
図１は、従来の二重化装置の一例の構成図を示す。同図中、二重化装置は、Ｎ系（第１系）の上位装置１０Ｎと、Ｅ系（第２系）の上位装置１０Ｅと、複数の配下装置１１−１〜１１−ｎを有している。
【０００４】
上位装置１０Ｎ，１０Ｅそれぞれにおいて、装置系切替制御部１２Ｎ，１２Ｅは現用系と予備系を切替える。切替タイミング調整部１３Ｎ，１３Ｅは、現用系と予備系の切替えを配下装置１１−１〜１１−ｎへの影響のないＣＬＫ（クロック）信号の安定期間又はバス未使用タイミングで行う。ＡＬＭ（アラーム）検出部１４Ｎ，１４Ｅは、自系装置内のＡＬＭ検出信号を出力する。
【０００５】
装置系切替制御部１２Ｎ，１２Ｅは、ＡＬＭ検出信号と保守閉塞を行う際に通知される保守閉塞指示信号と、系切替要求を通知する系切替指示信号を供給され、装置系選択信号を生成して相手側の上位装置１０Ｅ，１０Ｎに通知し、その信号を用いて現用系／予備系を判定する。
【０００６】
従来は、配下装置１１−１〜１１−ｎにＣＬＫ信号を分配するＣＬＫ装置と、共通バスの調停を行うバス制御装置は、システムの信頼性を高めるために各々が独立した保守単位として二重化構成をとっている。
【０００７】
しかし、近年の高密度化実装により複数機能を１つの二重化装置に集約した装置の小型化開発が必要となり、各々を独立した保守単位としていたシステム全般に影響を及ぼす機能であるＣＬＫ装置（ＣＬＫ機能部）やバス制御装置（バス制御機能部）も、１つの装置に集約する必要が生じている。
【０００８】
ところで、バスでのデータ送信を一次中断し、バスコントローラのマスク実行を現用系から予備系に切替えてからデータ送信を再開することで、バス競合を回避するものがある（例えば特許文献１参照）。また、現用系と予備系の両カードともに障害部位を持ったときでも、他系の正常部と組み合わせで正常動作を続行するものがある（例えば特許文献２参照）。
【特許文献１】特開２００３−２６９７４５号公報
【特許文献２】特開昭６３−０７３７５４号公報
【発明の開示】
【発明が解決しようとする課題】
【０００９】
図２は、従来のＣＬＫ機能部とバス制御機能部を集約した二重化装置の一例の構成図を示す。
【００１０】
二重化装置のＮ系の上位装置１０ＮとＥ系の上位装置１０Ｅは、従来は各々が独立した保守単位として存在していたＣＬＫ機能部１５Ｎ，１５Ｅと、バス制御機能部１６Ｎ，１６Ｅを集約し、二重化装置の現用系と予備系を切替える装置系切替制御部１２Ｎ，１２Ｅと、自系装置内で故障を検出した場合にＡＬＭ検出信号を出力するＡＬＭ検出部１４Ｎ，１４Ｅを備え、装置系選択信号に従って装置全体で現用系／予備系の即時一括切替えを行っている。
【００１１】
しかしながら上記構成では、例えばＮ系の上位装置１０Ｎが現用系で、Ｅ系の上位装置１０Ｅが保守閉塞状態、未実装状態、ＡＬＭ検出状態等で現用系に遷移不可状態の場合、現用系のＡＬＭ検出部１４Ｎにて、ＣＬＫ機能部１５Ｎとバス制御機能部１６Ｎ以外の他機能部（ＣＰＵ又はメモリ等）が出力する他機能部ＡＬＭ信号を検出すると、ＡＬＭ検出信号を装置系切替制御部１２Ｎに対して出力し、それに伴い装置系切替が発生し、Ｎ系の上位装置１０Ｎは自系の装置系選択信号を基にして強制的に現用系から予備系（ＡＬＭ）に遷移する。
【００１２】
この遷移により、正常動作可能であるにも拘わらず、ＣＬＫ機能部１５Ｎ，バス制御機能部１６Ｎも現用系から予備系となり、現用系のＣＬＫ機能部とバス制御機能部が不在となる。ＣＬＫ機能部の現用系が不在の場合には、配下装置へ分配しているＣＬＫ信号の送信を停止するためデータ疎通が不可能となり、バス制御機能部の現用系が不在の場合には、共通バスのバス調停部が停止するため共通バスにおけるデータの受け渡しができなくなり、システムの停止を招くことになるという問題があった。
【００１３】
上記の問題は、自系装置が現用系で他系装置が現用系遷移不可状態の場合、自系の障害検出により、正常動作可能な機能部（ＣＬＫ機能部，バス制御機能部）も、自系の装置系選択信号に従って装置全体で現用系と予備系の即時一括切替を行うために発生する。
【００１４】
開示の二重化装置は、機能部が正常動作可能であるにも拘わらずシステムが停止するのを回避することを目的とする。
【課題を解決するための手段】
【００１５】
開示の一実施態様による二重化装置は、第１系上位装置と、第２系上位装置と、複数の配下装置を有する二重化装置において、
前記第１系及び第２系上位装置に設けられ、前記第１系及び第２系上位装置それぞれの現用系と予備系を切替える装置系切替制御手段と、
前記第１系及び第２系上位装置に設けられ、前記第１系及び第２系上位装置それぞれの機能別に各機能部の現用系と予備系を切替える一又は複数の機能別系切替制御手段を有する。
【００１６】
好ましくは、前記機能別系切替制御手段は、自系の上位装置がアラーム状態、他系の上位装置が現用系遷移不可状態、自系の機能部が現用系であることを要因に、他系の上位装置が現用系に遷移するまで前記自系の機能部の現用系を保持する。
【００１７】
好ましくは、前記機能別系切替制御手段は、前記他系の上位装置が現用系に遷移した後に、前記自系の機能部を現用系から予備系に切替える状態遷移制御を行う。
【発明の効果】
【００１８】
開示の二重化装置によれば、機能部が正常動作可能であるにも拘わらずシステムが停止するのを回避することができる。
【発明を実施するための最良の形態】
【００１９】
以下、図面に基づいて実施形態について説明する。
【００２０】
＜二重化装置の構成＞
図３は、二重化装置の一実施形態の要部の構成図を示す。図４は、二重化装置の一実施形態の構成図を示す。図３及び図４において、同一部分には同一符号を付す。
【００２１】
図３及び図４において、二重化装置は、Ｎ系（第１系）の上位装置２０Ｎと、Ｅ系（第２系）の上位装置２０Ｅと、複数の配下装置２１−１〜２１−ｎを有している。
【００２２】
上位装置２０Ｎ，２０Ｅそれぞれにおいて、装置系切替制御部２２Ｎ，２２Ｅは上位装置２０Ｎ，２０Ｅの現用系と予備系を切替える。装置系切替制御部２２Ｎ，２２Ｅは、ＯＲ回路４１からの自系装置内のＡＬＭ信号と保守閉塞指示信号のＯＲ出力である現用系遷移可能信号と他系の装置系選択信号を反転して入力されるＡＮＤ回路４２と、ＡＮＤ回路４２出力を遅延する遅延部４３と、他系の装置系選択信号を系切替指示信号の立上がりで取り込むフリップフロップ４４と、フリップフロップ４４出力と系切替指示信号とを供給されるＡＮＤ回路４５と、ＡＮＤ回路４５出力を遅延する遅延部４６と、遅延部４３出力と遅延部４６出力のＯＲ出力を自系の装置系選択信号として出力するＯＲ回路４７を有する。
【００２３】
＜装置系切替制御部の状態遷移＞
図５に装置系切替制御部２２Ｎ，２２Ｅの状態遷移を示す。
【００２４】
装置系切替制御部２２Ｎ，２２Ｅは、装置電源投入時等にはＮ系を現用系とし、Ｅ系を予備系として立上がり、自系装置が現用系の場合には系選択信号にハイレベル（Ｈ）を出力し、予備系の場合にはローレベル（Ｌ）を出力する。
【００２５】
現用系遷移可能信号は、ＡＬＭ（アラーム）信号と保守閉塞指示信号のＯＲ出力であり、ハイレベルで現用系遷移可能、ローレベルで現用系遷移不可を示す。
【００２６】
装置系切替制御部２２Ｎ，２２Ｅの系切替動作としては、現用系から系切替指示が行われることにより、系切替指示信号に一定幅のハイレベルのパルスが入力され、このパルスの立上がりが他系の装置系切替制御部に入力されることにより、他系の装置系選択信号がローレベル（予備系）からハイレベル（運用系）に変化し、自系では他系の装置系選択信号を受けて自系の装置系選択信号がハイレベル（現用系）からローレベル（予備系）に変化する（図５の３項が該当）。
【００２７】
また、上記パルスの立下がりが他系の装置系切替制御部に入力された場合に、他系の現用系可能状態信号がローレベルである場合、現用系から系切替指示が行われることにより、系切替指示信号に一定幅のハイレベルのパルスが入力され、このパルスの立上がりが他系の装置系切替制御部に入力されることにより、他系の装置系選択信号がローレベル（予備系）からハイレベル（運用系）に変化するものの、系切替指示信号がハイレベルからローレベルに変化する切替え完了時に、他系の系選択信号は再びローレベル（予備系）に変化する（図５の２項が該当）。
【００２８】
＜機能別系切替制御部＞
図３に示す機能別系切替制御部３０Ｎ，３０Ｅは、自系の装置系選択信号の立下がりエッジを検出するエッジ検出回路５１と、エッジ検出信号のタイミングを調整するタイミング回路５２と、他系機能部の状態を監視する他系機能部監視部５３と、自系の装置系選択信号の立下がりエッジと他系の装置系選択信号と機能部ＡＬＭと他系機能部の状態から機能部の現用／予備判定と機能系選択信号を得る機能部現用予備判定部５４と、機能系選択信号のタイミング調整を行って出力する機能部系切替タイミング調整部５５を有する。
【００２９】
機能別系切替制御部３０Ｎ，３０Ｅは、自系の装置系切替制御部の現用／予備状態と、他系の装置系切替制御部の現用／予備状態及び、機能部毎のＡＬＭ状態に応じて、機能部毎にＮ系とＥ系の切替えの状態遷移制御による論理判定を行い、機能系選択信号で機能毎の切替えと切替タイミングを制御する。
【００３０】
図４に示すＣＬＫ系切替制御部３１Ｎ，３１Ｅ及びバス系切替制御部３２Ｎ，３２Ｅが図３に示す機能別系切替制御部３０Ｎ，３０Ｅに対応している。ＣＬＫ系切替制御部３１Ｎ，３１Ｅ内の機能部現用予備判定部５４は、ＣＬＫ機能部２５Ｎ，２５Ｅ内のＡＬＭ検出部５６Ｎ，５６ＥのＡＬＭ検出信号を供給されており、ＣＬＫ系切替制御部３１Ｎ，３１ＥはＣＬＫ機能部２５Ｎ，２５Ｅの切替制御を行う。
【００３１】
バス系切替制御部３２Ｎ，３２Ｅ内の機能部現用予備判定部５４は、バス制御機能部２６Ｎ，２６Ｅ内のＡＬＭ検出部５７Ｎ，５７ＥのＡＬＭ検出信号を供給されており、バス系切替制御部３２Ｎ，３２Ｅはバス制御機能部２６Ｎ，２６Ｅの切替制御を行う。
【００３２】
＜機能別系切替制御部の状態遷移＞
図６に機能別系切替制御部３０Ｎ，３０Ｅの現用系から予備系への状態遷移を示し、図７に機能別系切替制御部３０Ｎ，３０Ｅの予備系から現用系への状態遷移を示し、図８に機能別系切替制御部３０Ｎ，３０Ｅの現用系から予備系への保守切替の状態遷移を示す。
【００３３】
図６の１項及び図７の１項は装置系切替に追従して機能部系切替が行われる状態遷移を示している。自系の装置状態が現用系、自系の該機能部（機能別系切替制御部がＣＬＫ系切替制御部の場合はＣＬＫ機能部）状態が現用系、機能部ＡＬＭ＝ローレベル（正常）状態で、（１）の入力条件から所定タイミング後の入力条件（２）において、他系装置が予備系状態である場合、現用系からの系切替信号により、他系装置の装置系選択信号がローレベル（予備系）からハイレベル（現用系）となり、それによって自系の装置系選択信号がハイレベル（現用系）からローレベル（予備系）となる。
【００３４】
該機能部は、自系の装置系選択信号がハイレベルからローレベルとなる立下がりを検出してから所定タイミング後、自系の装置系選択信号と他系の装置系選択信号をラッチし、自系の装置系選択信号＝ローレベル、他系の装置系選択信号＝ハイレベルであれば、配下装置に影響を与えないタイミングで、自系の機能系選択信号をハイレベル（現用系）からローレベル（予備系）とし、他系の機能部は本信号を受けて、現用系（機能系選択信号をローレベルからハイレベル）とする。
【００３５】
図９は、Ｎ系の上位装置２０Ｎが現用系で、Ｅ系の上位装置２０Ｅが予備系の場合に、機能別系切替制御部３０Ｎが、装置系切替制御部２２Ｎに追従し、現用系がＮ系からＥ系に遷移するタイミングチャートを示す。現用系からの系切替信号により、他系装置の装置系選択信号がローレベル（予備系）からハイレベル（現用系）となり、それによって自系の装置系選択信号がハイレベル（現用系）からローレベル（予備系）となる。
【００３６】
該機能部は、自系の装置系選択信号がハイレベルからローレベルとなる立下がりを検出してから所定タイミング後、自系の装置系選択信号と他系の装置系選択信号をラッチし、自系の装置系選択信号＝ローレベル、他系の装置系選択信号＝ハイレベルであれば、配下装置に影響を与えないタイミングで自系の機能系選択信号をハイレベルからローレベルとし、他系の機能部は本信号を受けて、機能系選択信号をローレベルからハイレベルとしている。
【００３７】
図６の２項は他系装置が現用系遷移不可状態の時、自系がＡＬＭによるＮ系とＥ系の切替えとなった場合に、該機能部が現用系を保持する状態遷移を示している。前記入力条件（２）において、他系装置が現用系遷移不可状態である場合、ＡＬＭ検出部にて自系の該機能部以外のＡＬＭが検出されると、自系の装置系選択信号がハイレベルからローレベルとなり、自系の装置状態は予備系となるが、他系の装置系選択信号はローレベル（予備系）のままである。
【００３８】
該機能部は、自系の装置系選択信号がハイレベルからローレベルとなる立下がりを検出して所定タイミング後、自系の装置系選択信号と他系の装置系選択信号をラッチするが、自系の装置系選択信号＝ローレベル、他系の装置系選択信号＝ハイレベルの論理が成立しないため、現用系状態を保持する。
【００３９】
図６の３項及び図７の２項は、該機能部にＡＬＭが発生した場合の状態遷移を示している。この場合には、装置系切替を待たずに最優先でＡＬＭが発生した該機能部の系切替を行い、その後に装置系切替を行うと共に、装置系切替に追従して正常動作している機能部の系切替を行う。前記入力条件（２）において、該機能部にＡＬＭが発生した場合、機能部ＡＬＭはローレベル（正常）からハイレベル（異常）となる。
【００４０】
このような状態では、該機能部は正常に動作することができないため、配下装置への切替タイミングを考慮せずに、瞬時に機能系選択信号をハイレベル（現用系）からローレベル（予備系）に切替える。他系の機能部では本信号を受け、機能系選択信号をローレベル（予備系）からハイレベル（現用系）とする。
【００４１】
また、その後の動作として、自系装置はＡＬＭ検出部にて機能部ＡＬＭが要因による装置系切替が発生して装置系切替が行われる共に、正常動作している機能部の系切替を行う。なお、図６におけるｄ．ｃはｄｏｎ‘ｔ  ｃａｒｅの略である。
【００４２】
図８の１項は、保守作業時のＮ系とＥ系の切替えの状態遷移を示している。自系の装置状態が予備系（装置系選択信号＝ローレベル）で、該機能部が現用系（機能系選択信号＝ハイレベル）を保持している場合（他系が現用系遷移不可状態）、他系カード交換等による復旧手段により他系装置が現用系に遷移すると、他系の装置系選択信号はハイレベル（現用系）、機能系選択信号はハイレベル（現用系）となる。本状態の検出により自系の該機能部は、機能系選択信号をハイレベル（現用系）からローレベル（予備系）とする。
【００４３】
＜ＣＬＫ機能部とＣＬＫ系切替制御部＞
図１０は、ＣＬＫ機能部２５Ｎ，２５ＥとＣＬＫ系切替制御部３１Ｎ，３１Ｅの一実施形態の構成図を示す。同図中、ＣＬＫ機能部２５Ｎ，２５Ｅそれぞれの位相合わせ部６１は、装置間（Ｎ系の上位装置２０ＮとＥ系の上位装置２０Ｅ間）でＣＬＫ信号を系交絡させ、上位から入力されるシステムＣＬＫ信号を現用系と予備系で位相合わせを行い、現用系に位相合わせした後のＣＬＫ信号をＣＬＫ＿ＥＮ（クロックイネーブル）制御部６２、タイミング信号生成部６３、自系のＣＬＫ系切替制御部３１Ｎ（又は３１Ｅ）に渡している。
【００４４】
タイミング信号生成部６３では、装置間で基準信号を系交絡させ、現用系と予備系で位相合をわせたタイミング信号を生成し、タイミング信号ＥＮ制御部６４に渡している。
【００４５】
ＣＬＫ＿ＥＮ制御部６２とタイミング信号ＥＮ制御部６４では、ＣＬＫ信号とタイミング信号はワイアードオア形式で配下装置に渡しているため、ＣＬＫ機能部２５Ｎ，２５Ｅが自系の装置系選択信号＝Ｌ（予備系）の場合には、出力を停止（ハイインピーダンス状態）する機能を有している。
【００４６】
ＣＬＫ系切替制御部３１Ｎ，３１Ｅの切替タイミング調整部５５では、ＣＬＫ機能部２５Ｎ，２５ＥからのＣＬＫ信号、基準タイミング信号より、配下装置への影響がない切替タイミングを識別する。
【００４７】
図１１は、ＣＬＫ機能部２５Ｎ，２５Ｅの切替可能タイミングを示す。同図中、ＣＬＫ信号はシステムの基準となる信号であり、タイミング信号は一定周期毎にＣＬＫ信号の１τ幅でローレベルに変化するフレーム信号（ＦＲＭ）と、シリアルで０〜規定値（Ｎ）までカウントアップするフレームナンバ信号（フレームＮｏ）からなる。フレームナンバ信号は、一定周期毎に同一データが４回送信される信号である。ＣＬＫ系切替制御部３１Ｎ，３１Ｅの機能系切替タイミングは、信号に擾乱が発生しない安定期間、すなわち、フレーム信号，フレームナンバ信号，ＣＬＫ信号の全てがハイレベルの時である。
【００４８】
＜バス制御機能部とバス系切替制御部＞
図１２は、バス制御機能部２６Ｎ，２６Ｅとバス系切替制御部３２Ｎ，３２Ｅの一実施形態の構成図を示す。図１３は、図１２の動作を説明するためのタイミングチャートを示す。
【００４９】
図１２において、バス制御機能部２６Ｎ，２６Ｅは、共通バスを使用するバス機能部７１と、共通バスのマスター装置のバス競合が起きないように調停を行うバス調停部７２と、バス調停ＥＮ制御部７３を備え、バス調停部７２はバス機能部７１の現用系状態時に動作し、予備系状態時は調停機能を停止している。
【００５０】
配下カードの共通バスのマスター装置は、バスサイクルを開始するためにバス要求信号によって調停機能部２６Ｎ，２６Ｅにバス使用権を要求する。バス要求信号を受け付けたバス調停部７２は、ラウンドロビン方式のバス調停を行い、バス要求信号を出力しているマスター装置に対して、バス許可信号を該当カードに順番に返信する。
【００５１】
このバス許可信号を受け付けたマスター装置は、共通バスへのライト・リードアクセスを開始し、アクセス中はバス使用中信号を送信する。また、アクセス終了時にはアクセス完了信号を送信する。
【００５２】
バス調停ＥＮ制御部７３では、バス許可信号をワイアードオア形式で配下装置２１−１〜２１−ｎに送信しているため、バス制御機能部２６Ｎ，２６Ｅが自系の機能系選択信号＝ローレベル（予備系）の場合には、出力を停止（ハイインピーダンス状態）する機能を有している。
【００５３】
バス系切替制御部３２Ｎ，３２Ｅの切替タイミング調整部５５では、系切替時のバス衝突を防ぐため、共通バスのバス使用中信号、アクセス完了信号を監視し、これらの信号が送信されていない図１３に示す切替可能区間で切替えを行う。
【００５４】
上記実施形態では、装置系切替制御部２２Ｎ，２２Ｅに加え、現用系不在時にシステムの正常動作が不可能となり、システム全体に大きな影響を及ぼす集約機能部としてのＣＬＫ機能部２５Ｎ，２５Ｅ又はバス制御機能部２６Ｎ，２６Ｅについては、装置状態により機能部毎の系切替えを制御する機能別系切替制御部３０Ｎ，３０Ｅを備える。ここで、自系の上位装置が現用系で、他系の上位装置が現用系遷移不可状態の場合に、自系の上位装置のＡＬＭ検出部２４Ｎ，２４Ｅが前記機能部２５Ｎ，２５Ｅ又は２６Ｎ，２６Ｅ以外のＡＬＭ信号を検出し、自系装置が現用系から予備系に遷移した場合、正常動作可能な前記機能部２５Ｎ，２５Ｅ又は２６Ｎ，２６Ｅの現用系状態を保持することで、カード交換等による復旧処置までの間、システム停止を防ぐことが可能となる。
（付記１）
第１系上位装置と、第２系上位装置と、複数の配下装置を有する二重化装置において、
前記第１系及び第２系上位装置に設けられ、前記第１系及び第２系上位装置それぞれの現用系と予備系を切替える装置系切替制御手段と、
前記第１系及び第２系上位装置に設けられ、前記第１系及び第２系上位装置それぞれの機能別に各機能部の現用系と予備系を切替える一又は複数の機能別系切替制御手段を
有することを特徴とする二重化装置。
（付記２）
付記１記載の二重化装置において、
前記機能別系切替制御手段は、自系の上位装置がアラーム状態、他系の上位装置が現用系遷移不可状態、自系の機能部が現用系であることを要因に、他系の上位装置が現用系に遷移するまで前記自系の機能部の現用系を保持することを特徴とする二重化装置。
（付記３）
付記２記載の二重化装置において、
前記機能別系切替制御手段は、前記他系の上位装置が現用系に遷移した後に、前記自系の機能部を現用系から予備系に切替える状態遷移制御を行うことを特徴とする二重化装置。
（付記４）
付記３記載の二重化装置において、
前記機能別系切替制御手段の一つは、前記第１系及び第２系上位装置それぞれのクロック機能部の現用系と予備系を切替えるクロック系切替制御手段であることを特徴とする二重化装置。
（付記５）
付記３又は４記載の二重化装置において、
前記機能別系切替制御手段の一つは、前記第１系及び第２系上位装置それぞれのバス制御機能部の現用系と予備系を切替えるバス系切替制御手段であることを特徴とする二重化装置。
（付記６）
付記４記載の二重化装置において、
前記クロック系切替制御手段は、前記第１系及び第２系上位装置それぞれのクロック機能部のクロック信号とタイミング信号の安定期間で、自系のクロック機能部を現用系から予備系に切替えることを特徴とする二重化装置。
（付記７）
付記５記載の二重化装置において、
前記バス系切替制御手段は、バス未使用区間で、自系のバス制御機能部を現用系から予備系に切替えることを特徴とする二重化装置。
【図面の簡単な説明】
【００５５】
【図１】従来の二重化装置の一例の構成図である。
【図２】従来のＣＬＫ機能部とバス制御機能部を集約した二重化装置の一例の構成図である。
【図３】二重化装置の一実施形態の要部の構成図である。
【図４】二重化装置の一実施形態の構成図である。
【図５】装置系切替制御部２２Ｎ，２２Ｅの状態遷移を示す図である。
【図６】機能別系切替制御部の現用系から予備系への状態遷移を示す図である。
【図７】機能別系切替制御部の予備系から現用系への状態遷移を示す図である。
【図８】機能別系切替制御部の現用系から予備系への保守切替の状態遷移を示す図である。
【図９】現用系が現用系から予備系に遷移するタイミングチャートである。
【図１０】ＣＬＫ機能部とＣＬＫ系切替制御部の一実施形態の構成図である。
【図１１】ＣＬＫ機能部の切替可能タイミングを示す図である。
【図１２】バス制御機能部とバス系切替制御部の一実施形態の構成図である。
【図１３】図１２の動作を説明するタイミングチャートである。
【符号の説明】
【００５６】
２０Ｎ，２０Ｅ  上位装置
２１−１〜２１−ｎ  配下装置
２２Ｎ，２２Ｅ  装置系切替制御部
２４Ｎ，２４Ｅ  ＡＬＭ検出部
２５Ｎ，２５Ｅ  ＣＬＫ機能部
２６Ｎ，２６Ｅ  バス制御機能部
３０Ｎ，３０Ｅ  機能別系切替制御部
３１Ｎ，３１Ｅ  ＣＬＫ系切替制御部
３２Ｎ，３２Ｅ  バス系切替制御部
５１  エッジ検出回路
５２  タイミング回路
５３  他系機能部監視部
５４  機能部現用予備判定部
５５  機能部系切替タイミング調整部
６１  位相合わせ部
６２  ＣＬＫ＿ＥＮ制御部
６３  タイミング信号生成部
６４  タイミング信号ＥＮ制御部
７１  バス機能部
７２  バス調停部
７３  バス調停ＥＮ制御部
【図１】
2010044709.tif 000003
【図２】
2010044709.tif 000004
【図３】
2010044709.tif 000005
【図４】
2010044709.tif 000006
【図５】
2010044709.tif 000007
【図６】
2010044709.tif 000008
【図７】
2010044709.tif 000009
【図８】
2010044709.tif 000010
【図９】
2010044709.tif 000011
【図１０】
2010044709.tif 000012
【図１１】
2010044709.tif 000013
【図１２】
2010044709.tif 000014
【図１３】
2010044709.tif 000015